(57)【要約】【課題】本考案は、かかる問題を解消するためになされたものであり、窓に設けられたロック装置により、窓の開閉状態を確実に維持することができ、とくに窓の閉鎖状態をしっかりとロックすることができるロック装置を提供することを目的としている。【解決手段】本考案のロック装置は、倒し金物に設けられ、窓を閉鎖状態でロックするためのロック装置である。当該ロック装置が、前記第２部材に穿設された穴と、前記第１部材に設けられ、窓の閉鎖位置において前記穴と係合することによりロックをする。前記突片が、前記第１部材を貫き、第１部材の表面および裏面で開口した空間に遊嵌され、前記突片が、前記空間から第１部材の表面の外に突出する方向にバネによって付勢され、前記第１部材の表面の開口を部分的に塞ぐフランジが設けられ、前記突片に、第１部材の表面からの最大突出位置で前記フランジに係止する突起が形成されてなることを特徴としている。【選択図】図１
0003130914.tif 000002
【実用新案登録請求の範囲】
【請求項１】
窓枠内側の左右両側のうちの少なくとも一方に固定される長尺の第１部材と、
該第１部材の下端近辺において、第１部材の長手方向に沿ってその下端部が摺動自在に連結された、窓の側縁に固定される長尺の第２部材と、
その一端が第１部材の上端近辺に回転自在に連結され、その他端が第２部材の下端からわずか上端寄りに回転自在に連結されたステーとからなり、
前記第２部材が、第１部材の下端に係止されることによりたがいを中間開度に保持し、係止が解除されることによりたがいを全開にするストッパを有してなる倒し金物に設けられ、窓を閉鎖状態でロックするためのロック装置であって、
当該ロック装置が、
前記第２部材に穿設された穴と、
前記第１部材に設けられ、窓の閉鎖位置において前記穴と係合する突片と
からなり、
前記突片が、前記第１部材を貫き、第１部材の表面および裏面で開口した空間に遊嵌され、
前記突片が、前記空間から第１部材の表面の外に突出する方向にバネによって付勢され、
前記第１部材の表面の開口を部分的に塞ぐフランジが設けられ、
前記突片に、第１部材の表面からの最大突出位置で前記フランジに係止する突起が形成されてなる
ことを特徴とするロック装置。
【請求項２】
前記突片の裏側に凹所が設けられ、支持プレートの空間側の面に凸部が設けられ、圧縮コイルバネの一端が前記突片の凹所に少なくとも部分的に挿入され、当該圧縮コイルバネの他端が前記支持プレートの凸部に嵌挿され、かつ当該圧縮コイルバネが前記凹所と支持プレートとの間に挟持されてなる請求項１記載のロック装置。
【考案の詳細な説明】
【技術分野】
【０００１】
本考案は上部解放式窓のロック装置に関する。さらに詳しくは、窓枠内側の左右両側のうちの少なくとも一方に固定される長尺の第１部材と、該第１部材の下端近辺において、第１部材の長手方向に沿ってその下端部が摺動自在に連結された、窓の側縁に固定される長尺の第２部材と、その一端が第１部材の上端近辺に回転自在に連結され、その他端が第２部材の下端からわずか上端寄りに回転自在に連結されたステーとからなり、前記第２部材が、第１部材の下端に係止されることによりたがいを中間開度に保持し、係止が解除されることによりたがいを全開にするストッパを有してなる倒し金物に設けられ、窓を閉鎖状態でロックするためのロック装置に関する。
【背景技術】
【０００２】
家屋などの鴨居の上部には、換気のための上部開放式の窓が備えられることが多い。かかる窓のロック機構としては、従来より、窓の外周（または窓枠）の内周に設けられたバネ付勢された突起を窓枠の内周（または窓の外周）に設けられた穴に圧入するものが知られている。
【０００３】
しかし、かかる従来のものでは、鍵をかけていない限り、風により窓が開くことがあるという問題がある。
【考案の開示】
【考案が解決しようとする課題】
【０００４】
本考案は、かかる問題を解消するためになされたものであり、窓に設けられたロック装置により、窓の開閉状態を確実に維持することができ、とくに窓の閉鎖状態をしっかりとロックすることができるロック装置を提供することを目的としている。
【課題を解決するための手段】
【０００５】
本考案のロック装置は、窓枠内側の左右両側のうちの少なくとも一方に固定される長尺の第１部材と、該第１部材の下端近辺において、第１部材の長手方向に沿ってその下端部が摺動自在に連結された、窓の側縁に固定される長尺の第２部材と、その一端が第１部材の上端近辺に回転自在に連結され、その他端が第２部材の下端からわずか上端寄りに回転自在に連結されたステーとからなり、前記第２部材が、第１部材の下端に係止されることによりたがいを中間開度に保持し、係止が解除されることによりたがいを全開にするストッパを有してなる倒し金物に設けられ、窓を閉鎖状態でロックするためのロック装置である。当該ロック装置が、前記第２部材に穿設された穴と、前記第１部材に設けられ、窓の閉鎖位置において前記穴と係合することによりロックをする。前記突片が、前記第１部材を貫き、第１部材の表面および裏面で開口した空間に遊嵌され、前記突片が、前記空間から第１部材の表面の外に突出する方向にバネによって付勢され、前記第１部材の表面の開口を部分的に塞ぐフランジが設けられ、前記突片に、第１部材の表面からの最大突出位置で前記フランジに係止する突起が形成されてなることを特徴としている。
【０００６】
また、前記突片の裏側に凹所が設けられ、支持プレートの空間側の面に凸部が設けられ、圧縮コイルバネの一端が前記突片の凹所に少なくとも部分的に挿入され、当該圧縮コイルバネの他端が前記支持プレートの凸部に嵌挿され、かつ当該圧縮コイルバネが前記凹所と支持プレートとの間に挟持されてなることが好ましい。
【考案の効果】
【０００７】
本考案のロック装置によれば、窓の開閉状態を確実に維持することができ、とくに窓を閉鎖したときに、第１部材側の突片が第２部材側の穴にしっかりと嵌まり込み、また、バネで付勢されているので、強風時においても、解放することはない。また、窓を開放すると、倒し金物のステーが、第１部材２と第２部材３とのあいだに配置され、その一端が第１部材２の上端近辺に回転自在に枢支され、他端が第２部材３の下端から若干上方の部位に回転自在に枢支されることにより、所定の開度で窓を支持することができる。
【考案を実施するための最良の形態】
【０００８】
つぎに、添付図面を参照しながら本考案のロック装置を以下に詳細に説明する。
【０００９】
図１は本考案のロック装置の概念図である。図２（ａ）（ｂ）は図１のロック装置の一実施例の説明図である。図２（ｃ）は突片５３の側面図である。図２（ｄ）（ｅ）は突片５３の一実施例の説明図である。図３はロック装置を設けられる倒し金物の動作の説明図である。図４はロック装置を設けられる倒し金物の動作の説明図である。図５はロック装置を設けられる倒し金物の動作の説明図である。
【００１０】
本実施の形態のロック装置は、図１に示されるように、突片５３が、第１部材２を貫き、第１部材２の表面および裏面で開口した空間Ｃに遊嵌されている。
【００１１】
第２部材３には、穴５０が穿設されており、窓Ｗの閉鎖位置で穴５０と突片５３とが係合（ないしは穴５０に突片５３が嵌入）する。
【００１２】
突片５３は、前記空間Ｃから第１部材２の表面の外に突出する方向にバネ５４によって付勢されている。
【００１３】
第１部材２の表面Ｓ１側には、空間Ｃの開口を部分的に塞ぐフランジ５２が設けられている。
【００１４】
また、本実施の形態では、突片５３に、第１部材２の表面Ｓ１からの最大突出位置で前記フランジ５２に係止する突起Ｐが形成されている。
【００１５】
第１部材２の材質は耐久性の観点から金属であることが好ましいが、合成樹脂でも構わない。
【００１６】
穴５０と突片５３とが係合（ないしは穴５０に突片５３が嵌入）する際の摩擦による異音の発生を防止する観点、耐食性の観点から、突片５３の材質は、合成樹脂であることが好ましいが、合成樹脂に限られるものではなく、金属や金属と合成樹脂とを組み合わせたものであってもよい。
【００１７】
フランジ５２も、耐食性の観点から合成樹脂製であることが好ましいが、合成樹脂に限られるものではなく金属であってもよい。
【００１８】
バネ５４は圧縮コイルバネが好適に採用されるが、板バネを採用することも可能である。
【００１９】
フランジ５２は、図１に示されるように、第１部材２の表面Ｓ１に羅着されることが、堅牢性の観点から好ましいが、接着剤によってフランジ５２を第１部材２の表面Ｓ１に接合することもできる。
【００２０】
本実施の形態では、フランジ５２は、図２（ｂ）に示されるように、第１部材２の孔５１に形成された孔５１に差し込んだのち、フランジ５２内に突片５３を挿入し、圧縮コイルバネ５４を介して支持プレート５６およびフランジ５２を螺子５５６によって第１部材２に羅着される。
【００２１】
図２（ｂ）を参照すると、支持プレート５５も、第１部材２の裏面Ｓ２から孔５１螺子５６によって羅着されることが、堅牢性の観点から好ましいが、接着剤によってフランジ５２を第１部材２の表面Ｓ１に接合することもできる。
【００２２】
また、本実施の形態においては、突片５３の裏側には、圧縮コイルバネ５４の一端を部分的に挿入する凹所Ｒが設けられており、支持プレート５５の空間Ｃ側の面には、圧縮コイルバネ５４の他端が嵌挿される凸部Ｖが設けられているので、圧縮コイルバネ５４を突片５３と支持プレート５５との間に確実に挟持することができるという利点がある。
【００２３】
さらに、突片５３は図２（ｃ）に示すような鉤型形状を呈することにより、スムーズに閉鎖され、かつ閉鎖後は解放しにくくなるという利点がある。
【００２４】
また、本考案は、上部解放型の窓用のロック装置であるので、突片５３の鍔部分の一方に突起を設けて、窓枠に対して傾斜を付けることにより、さらにスムーズな開閉を実現できる。該突起部分は、螺子等により形成してもよいし、突片５３をあらかじめ突起を付けた状態で製作してもよい。
【００２５】
つぎに、本考案のロック装置が取り付けられる倒し金物について説明する。
【００２６】
図２（ａ）に示されるように、倒し金物１は、窓枠Ｆの左右両側の少なくとも一方に固定される第１部材２と、窓Ｗ側に固定される第２部材３と、両部材を連結するステー４と、第１部材に備えられたストッパ５とから構成されている。
【００２７】
第１部材２は長方形の板状を呈しており、その辺６がわずかに窓枠Ｆ側へ折り曲げられることにより、窓枠Ｆに固定されたときに、窓枠Ｆとのあいだにストッパ５を収容するスペース７が生じるようにされている。
【００２８】
第１部材２の下端近辺には、長手方向に沿う長孔８が穿設されている。この長孔８に、第２部材３の下端に突設された第１突起９が貫入し、係合されることにより、第１部材２と第２部材３とが前記係合部を支点としてたがいの上部が開くようにされている。両部材２、３がたがいに開くに伴い、第１突起９は長孔８内を上方に移動する。
【００２９】
ステー４は、第１部材２と第２部材３とのあいだに配置され、その一端が第１部材２の上端近辺に回転自在に枢支され、他端が第２部材３の下端から若干上方の部位に回転自在に枢支されることにより、所定の開度で窓Ｗを支持する。
【００３０】
ストッパ５は第１部材２の中腹部に回転自在に枢支され、開窓動作に伴い上昇してくる前記第１突起９と当接することにより窓Ｗの開度を制限（開き角度４０°）しうる（図３における２点鎖線で示す）。
【００３１】
図３に示すように、ストッパ５の下端の、第１突起９との当接部には第１突起９との当接を確実にするための円弧状の切欠１０が形成されている。この切欠１０によって、たとえば窓Ｗの開閉に伴うストッパ５と第１突起９との衝突の繰返しにより、ストッパ５が自然に回転して前記当接が外れてしまうことが防止される。
【００３２】
また、図２（ａ）および図５に示すごとくストッパ５の上端近辺には第２突起１１が突設され、第１部材２に穿設された円弧状のガイド孔１２に貫入することにより、ストッパ５の回転範囲が規制されるようにされている。一方、第２突起１１はガイド孔１２を貫入してステー４側にまで突出しているので、この第２突起１１を図３〜４における矢印Ａ方向に押してストッパ５をわずかに回転させることにより、ストッパ５の下端と第１突起９との当接を解除すれば、長孔８の上端に第１突起９が当接する（窓Ｗの開き角度９０°）まで窓Ｗを開くことができる（図４参照）。
【図面の簡単な説明】
【００３３】
【図１】本考案のロック装置の概念図である。
【図２（ａ）】図１のロック装置の一実施例の説明図である。
【図２（ｂ）】図１のロック装置の一実施例の説明図である。
【図２（ｃ）】突片５３の側面図である。
【図２（ｄ）】突片５３の一実施例の説明図である。
【図２（ｅ）】突片５３の一実施例の説明図である。
【図３】ロック装置を設けられる倒し金物の動作の説明図である。
【図４】ロック装置を設けられる倒し金物の動作の説明図である。
【図５】ロック装置を設けられる倒し金物の動作の説明図である。
【符号の説明】
【００３４】
１    倒し金物
２    第１部材
３    第２部材
４    ステー
５    ストッパ
６    第１部材２の辺
７    スペース
８    長孔
９    第１突起
１０    切欠
１１    第２突起
１２    ガイド孔
５０    穴
５１    孔
５２    フランジ
５３    突片
５４    バネ
５５    指示プレート
５６    螺子
Ｃ    空間
Ｆ    窓枠
Ｐ    突起
Ｒ    凹所
Ｓ１    第１部材２の表面
Ｓ２    第１部材２の裏面
Ｖ    凸部
Ｗ    窓
【図１】
0003130914.tif 000003
【図２（ａ）】
0003130914.tif 000004
【図２（ｂ）】
0003130914.tif 000005
【図２（ｃ）】
0003130914.tif 000006
【図２（ｄ）】
0003130914.tif 000007
【図２（ｅ）】
0003130914.tif 000008
【図３】
0003130914.tif 000009
【図４】
0003130914.tif 000010
【図５】
0003130914.tif 000011